Podtech/llm-jp-corpus-v4-ja_patent huggingface dataset:
(57)【要約】【課題】高級な手提げバックが底が痛んで傷がつき、型崩れして使用ができなくなることを防ぎ、永い間愛着をもって使用できる手提げバックを提供する。【解決手段】手提げバックの底を２重の構造とし、しかもこの中底と表底の接合に当っては、靴底の製法であるグッドイヤー・ウエルト製法を用いて縫合する。完成されたバックは型崩れし難く、安定性があって修理が可能で、永い間の使用に耐えられる。【選択図】　図１
0003098019.tif 000002
【実用新案登録請求の範囲】
【請求項１】
手提げバックＡの筒状体の胴部分（４）に対して、この下端に中底（１）と本底（２）を設けて２重構造とし、筒状体の胴部分（４）の下端と中底（１）と本底（２）を細革（３）を介して縫合し、頑丈な底としたことを特徴とした手提げバック。
【考案の詳細な説明】
【０００１】
【考案の属する技術分野】
本考案は、手提げバックの底の構造であって、型崩れや傷みの少ない丈夫な底を有する手提げバックに関する。
【０００２】
【従来の技術】
従来から使用されている手提げバックは、本体である筒状部分と底部分が同じ材料で簡単に作られているため、永い間使用しているうちに、バックをぶつけたり、地面に直に置いたり粗末に取扱うため、この底の部分が傷み易く、型崩して高価なバックもあわれな形となって処分されてしまう結果となる。
【０００３】
【考案が解決しようとする課題】
考案者は、この点に鑑み鋭意研究を重ねた結果本考案に到達したものであって、本考案は、手提げバックの底の部分に中底を配し、この中底の表に本底を設けて、この中底と本底を接合して２重構造とし、これにバックＡの本体である筒状体の下端を接合し、細革（ウエルト）を介して縫合するいわゆる、靴の底部分の本格的なグッドイヤー・ウエルト製法を用いて手提げバックの底を形成するもので、これによって強固な底を有する手提げバックが提供できる。
【０００４】
【考案の実施の形態】
添付図面により本考案の実施の形態を説明すると、図１は本考案の手提げバックＡの底部分の構成を説明する分解図であり、図２は完成された手提げバックＡの斜視を示している。
【０００５】
【実施例】
図１において、（４）は手提げバックＡの本体を示す筒状体で、この筒状体（４）に底を取り付けることによって手提げバックＡが完成される。図示において、（１）は中底であり筒状体（４）の下端の内側に配し、この中底（１）の表に本底を接合して２重構造とする。
【０００６】
そしてこの接合に当っては、一般にウエルトと称する細革（３）を介して縫合するもので、具体的にはバックの筒状体（４）の下端に中底（１）を固定し、筒状体（４）と細革（３）を中底（１）に設けてあるリブ（図示していない）にすくい縫いをし、さらに細革（３）と表底（２）を縫い合せて底部分を２重構造とするものである。
【０００７】
この縫合は、靴の製法で最も技術の高いグッドイヤー・ウエルト製法と同じであって、このようにして手提げバックＡの底を形成することによって、図２に示す完成された手提げバックＡは、地面に置く際に安定して置くことができる。
【０００８】
また底が頑強なため型崩れがなく永い間使用してもあきが来ない。さらに万一底面が痛んだときには修理が可能である。なお本考案の手提げバックＡは、革製の高級バックである。図中の符号（５）は、すくい縫いの縫い目を示している。
【０００９】
【考案の効果】
上述のように、本考案の手提げバックは、２重構造のグッドイヤー・ウエルト製法によって強固に形成されているため、地面に直に置く際に安定して置くことができ、型崩れがし難く長持ちが可能で、さらに万一底面が痛んでも修理が可能であるという、従来の手提げバックには見られない卓越した作用効果を奏する。
【図面の簡単な説明】
【図１】本考案の構成を示す分解図
【図２】手提げバックの斜視図
【符号の説明】
１　中底
２　表底
３　細革
４　バックの筒体
５　縫い目
【図１】
0003098019.tif 000003
【図２】
0003098019.tif 000004
(57)【要約】【課題】本考案は、省スペースの車載音響装置およびリアルタイムのモニター部を含む車両用サンバイザーである。【解決手段】本考案は、メモリカードスロット１１１及び操作パネル１１２などを有する車載音響装置１１と、ＣＣＤカメラ１２２ａ，１２２ｂ，１２２ｃを有する監視装置のディスプレー１２とを一体的に備えた。デジタル音楽を記録するメモリカードを挿入し、車載音響装置に入力する。メモリカードは小型、大容量、省スペース、携帯性など利点がある。外部を監視するＣＣＤカメラを接続し、撮像結果をリアルタイムでサンバイザーにあるディスプレーで確認できる。多角度、高安全性など利点がある。【選択図】　図１
0003098014.tif 000002
【実用新案登録請求の範囲】
【請求項１】
メモリカードスロット及び操作パネルなどを有している車載音響装置と、ＣＣＤカメラ及びディスプレーを有している監視装置のディスプレーとを一体的に備えたことを特徴とする車両用サンバイザー。
【請求項２】
上記監視装置が、車両の外部にＣＣＤカメラを配置して、車輛の周囲に設けられた周辺障害物を検知する請求項１に記載の車両用サンバイザー。
【請求項３】
上記ディスプレーを、液晶パネルにより構成した請求項１に記載の車両用サンバイザー。
【請求項４】
上記車載音響装置が、オーディオ、ビデオの信号を処理するデジタル信号処理部ＤＳＰを備える請求項１に記載の車両用サンバイザー。
【考案の詳細な説明】
【０００１】
【考案の属する技術分野】
本考案は、省スペースの車載音響装置およびデジタル報知装置を含むデジタル化の車両用サンバイザーである。
【０００２】
【従来の技術】
デジタル社会の到来に伴い、車載用音響装置の開発歴史について、過去ラジオ、カセットテープからＣＤまで発展してきた。音声出力の質は改善されたが、音響装置の体積を縮小することができない。一般的に、パネルの下に車載用音響装置を設置し、その近くにカセットテープかＣＤの収納機構を設け、結構スペースを占めている。更に、一般用の自動車バックミラーおよびサイドミラーは、運転手の視界の角度、夜間の景色画像の照度に限られているから、後方に注意しても監視することは出来なく、事故が多発している。
【０００３】
【考案が解決しようとする課題】
本考案は上述の車両用サンバイザーの改善であり、特に車載音響装置およびデジタル報知装置を含むデジタル化の車両用サンバイザーである。
【０００４】
【課題を解決するための手段】
従来の車両用サンバイザーを改善することは、目的であり、本考案は、メモリカードスロット及び操作パネルなどを含んでいる車載音響装置と、ＣＣＤカメラを有する監視装置のディスプレーとを一体的に備えたことにより、デジタルミュージックを配信するメモリカードを採用し、車載用音響設備の体積を縮小させる。かつメモリカードは小型、大容量、省ペース、携帯性などの利点がある。
また、本考案において、車両の外部にＣＣＤを配置し、車輛の周囲に設けられた障害物を検知し、迅速に探知結果を車両用サンバイザーのモニター装置に送信することにより、多角度、高安全性である。
【０００５】
【考案の実施の形態】
本考案のほかの目的と詳細は、以下の説明で、より明確となり、同時に、付属各図を参照すれば、本考案の技術内容が、更に理解できる。
図１と図２に示すように、本考案の好ましい実施の形態である車両用サンバイザー１０において、車載用音響装置１１には、メモリカードスロット１１１と操作パネル１１２の構造を備えており、メモリカードスロット１１１は大容量、小型のメモリカード（図示せず）を挿入することにより、メモリカードに保存されている音楽情報を放送でき、操作パネル１１２の操作により、音量、音質を調整できる。この操作パネル１１２はスピーカーなど出力設備に接続し、ここで、この周知技術の説明を省略する。
【０００６】
また、モニター装置１２には、それぞれ液晶ディスプレーからなる左ディスプレー１２１ａ、右ディスプレー１２１ｂ、後ディスプレー１２１ｃが備えられており、これらの左ディスプレー１２１ａ、右ディスプレー１２１ｂ、後ディスプレー１２１ｃは車両の外部に配置に配置された障害物を検知する左ＣＣＤカメラ１２２ａ、右ＣＣＤカメラ１２２ｂ、後ＣＣＤカメラ１２２ｃにそれぞれ接続されている。図のように、左ＣＣＤカメラ１２２ａを左ヘッドランプ２１の上方に、右ＣＣＤカメラ１２２ｂを右ヘッドランプ２２の上方に、後ＣＣＤカメラ１２２ｃをトランクリット２３の上方にそれぞれ配置させる。勿論、ほかの部位にも配置できる。
【０００７】
また、図３は本実施の形態の車載音響装置の伝送ブロック図の一例であり、デジタル信号処理部（ＤＳＰ）１１３は、デジタル音楽処理部１１４より伝送するオーディオ／ビデオ信号を処理し、信号を操作パネル１１２および出入力処理部１１５に伝送する。デジタル信号処理部１１３は、オーディオ／ビデオなどのアナログ信号を処理する高機能ワンチップ・マイクロプロセッサーであり、データ、画像、文字および音声をリアルタイムのマルチメディア応用装置に統合し、小型、高機能、高速度、利便性、低コストなどのメリットがあり、車両用サンバイザーに施される理想の装置である。
【０００８】
図４は、本実施の形態における好ましいＣＣＤの伝送ブロック図であり、左ＣＣＤカメラ１２２ａ、右ＣＣＤカメラ１２２ｂ、後ＣＣＤカメラ１２２ｃより検知結果を制御部１２３に伝送し、左ディスプレー１２１ａ、右ディスプレー１２１ｂ、後ディスプレー１２１ｃにより監視される正確な現場状況をドライバーに知らせる。
【０００９】
以上説明した本実施の形態は、あくまでも便宜上の一手法として採用するものである。すべて本考案の構造、装置、特徴などに類似するものは、本考案の実用新案登録の範囲である。また、実施例のみに限定するものでは決してなく、他の一切の利用範囲もその中に含めている事を重ねて申し上げる。
【００１０】
【考案の効果】
以上のように、本考案は十分に車両用サンバイザーのスペースを利用し、車両用サンバイザーをデジタル化させ、特に車載音響装置およびデジタル報知装置等、従来の車両用サンバイザーの機能を拡張する車両用サンバイザーである。
【図面の簡単な説明】
【図１】本考案の好ましい実施の形態についての説明図である。
【図２】図１に示した実施の形態におけるＣＣＤカメラの設置位置説明図である。
【図３】図１に示した実施の形態における車載音響装置の伝送ブロック図である。
【図４】図１に示した実施の形態におけるＣＣＤの伝送ブロック図である。
【符号の説明】
１０　サンバイザー
１１　車載音響装置
１１１　メモリカードスロット
１１２　操作パネル
１１３　デジタル信号処理部
１１４　デジタル音楽処理部
１１５　出入力処理部
１２　モニター装置（表示手段）
１２１ａ　左ディスプレー（表示手段）
１２１ｂ　右ディスプレー（表示手段）
１２１ｃ　後ディスプレー（表示手段）
１２２ａ　左ＣＣＤカメラ（撮像手段）
１２２ｂ　右ＣＣＤカメラ（撮像手段）
１２２ｃ　後ＣＣＤカメラ（撮像手段）
１２３　制御部
２０　車両
２１　左ヘッドランプ
２２　右ヘッドランプ
２３　トランクリット
【図１】
0003098014.tif 000003
【図２】
0003098014.tif 000004
【図３】
0003098014.tif 000005
【図４】
0003098014.tif 000006
(57)【要約】　　　（修正有）【課題】洗髪やボディ洗いを指先で済ませることは他人の手を借りて行えば可能だが、自ら実効するには例えば爪が長すぎて傷を付けたり、或いは高齢者のような握力の低下した人には負担が掛かる。これら傷も負担も解消できるようなブラシを提供する。【解決手段】ブラシ本体１は柔らかい材質、ブラシ本体２は硬い材質からなる二層構造から得られる指先に近い弾力と感触、更には数本の筋目を設けることで身体と触れ合う密着性を緩和する為の指紋の代わりとするブラシ本体２にブラシ本体１を被覆させる構造ならば、毛足を長くしてもブラシ本体２が芯になり、厚い髪の毛でも頭皮まで到達させる役割を果し、然もブラシ本体１が頭皮を傷つけることなく指先で洗ったように洗髪を可能にする。【選択図】　　　　図１
0003098011.tif 000002
【実用新案登録請求の範囲】
【請求項１】
柔らかい材質のブラシ本体１と硬い材質のブラシ本体２と連結させる柄３で構成される洗髪・ボディ兼用ブラシである。
【請求項２】
ブラシ本体１の先端には数本の筋目を設けた洗髪・ボディ兼用ブラシである。
【考案の詳細な説明】
【０００１】
【考案の属する技術分野】
本考案は洗髪または身体を洗う道具として最も適しているのは指先や皮膚であると謂われていることから、その指先や皮膚に替わるブラシ本体１を皮膚に、指の骨に替わるものとしてブラシ本体２から構成する洗髪・ボディ兼用ブラシである。
【０００２】
【従来の技術】
洗髪用としては本考案のブラシ本体２と連結柄３のみのものはある。ボディ用ブラシとしては植毛の物、スポンジの物などがあるが指や皮膚に近い構造はない。
【０００３】
【考案が解決しようとする課題】
洗髪やボディ洗いを指先で済ませることは他人の手を借りて行えば可能だが、自ら実行するには例えば爪が長すぎて傷を付けたり、或いは高齢者のような握力の低下した人には負担が掛かり、本考案のブラシはその点、傷も負担も解消できる。
【０００４】
【課題を解決するための手段】
本考案のブラシ本体１は柔らかい材質、ブラシ本体２は硬い材質からなる二層構造から得られる指先に近い弾力と感触、更には数本の筋目を設けることで身体と触れ合う密着性を緩和する為の指紋の代わりをを目的とするものである。
【０００５】
【考案の実施の形態】
お風呂で洗髪に使用する場合、仮に髪の毛の多い人つまり髪の厚い人は指で洗髪することはできてもブラシを使う場合はブラシの毛足が短いと頭皮まで届かないことになる。毛足が長い場合でも柔らかすぎると曲がってしまいこれも届かないことになる。長い毛足で硬い場合は頭皮が痛くて傷つくことも考えられる。本考案はブラシ本体２を硬い材質を使用してこれをブラシの芯にする。ブラシ本体１は柔らかい材質を使用する。そしてブラシ本体２にブラシ本体１を被覆させる構造ならば、毛足を長くしてもブラシ本体２が芯になり、厚い髪の毛でも頭皮まで到達させる役割を果し、然もブラシ本体１が頭皮を傷つけることなく指先で洗ったように洗髪を可能にするものである。
【０００６】
【実施例】
本考案は主に風呂場で洗髪やボディ洗いを目的とした、洗う為の道具としてのブラシである。従って風呂場の石鹸やシャンプーと同じ場所に置かれ毎日使用するものとしての半耐久消費財である。
【０００７】
【考案の効果】
本考案は髪の毛やボディを洗う方法として、人の指先で洗うことがより肌にやさしく汚れをきめ細かく落とし、又マッサージ効果も優れていることから、人と同じような指先に替わるブラシを作ることができれば、自らの指先で洗うことよりも、より速く簡潔にでき、しかも人の指と違い爪で頭皮や肌を傷つける心配もないのである。
【図面の簡単な説明】
【図１】本考案の平面図、正面図、側面図及び等角投影図である。
【図２】本考案の組み合せ方法を示した平面図、正面図、側面図及び等角投影図である。
【図３】本考案の裏面側からの等角投影図である。
【符号の説明】
１　　本体ブラシ１
２　　本体ブラシ２
３　　連結柄
４　　本体ブラシ筋目
【図１】
0003098011.tif 000003
【図２】
0003098011.tif 000004
【図３】
0003098011.tif 000005
(57)【要約】【課題】タッチパネルを搭載した携帯電話機の導電性ペンの収納場所を解決するものである。【解決手段】携帯電話機のアンテナを２重構造の共有型とし、このアンテナ内に導電性ペンを収納することによって導電性ペンの配置場所を解決した。これによって全体の型をスマートとし、アンテナから引き出しも容易で、しかも紛失することもない。【選択図】　図３
0003098020.tif 000002
【実用新案登録請求の範囲】
【請求項１】
タッチパネルを搭載した静電容量結合方式の携帯電話機であって、アンテナを筒状に成形し、該アンテナ内にスタイラスペンを収納して一体とし、このアンテナ内のスタイラスペンを引出して使用することを特徴とした携帯電話機のアンテナ。
【請求項２】
スタイラスペンのペン先に金属ボールを設け、ペン頂部を電極とし、該ペンの握り部を合成樹脂パイプで成形し、該パイプの芯にリード線を挿入したことを特徴とした請求項１に記載の携帯電話機のアンテナ。
【考案の詳細な説明】
【０００１】
【考案の属する技術分野】
本考案は、タッチパネルを搭載した携帯電話機のアンテナに関する。
【０００２】
【従来の技術】
一般に携帯電話機のアンテナは送受信の際に機体からアンテナを引出して使用している。またタッチパネル方式のＩＣ機器は情報の入力に指先を使うか、導電性ペン（スタイラスペン）を使用している。
【０００３】
【考案が解決しようとする課題】
しかし、このタッチパネル方式のＩＣ機器に設けられている導電性ペンは、通常機器の側面に添設してあって、使用に当っては、この導電性ペンを機体から取外して使用している。
【０００４】
【課題を解決するための手段】
考案者は、タッチパネルを搭載した携帯電話機において、これに使用する導電性ペンを電話機のどこに設けるかについて、種々検討した結果、本考案に到達したものであって、本考案は、携帯電話機のアンテナを２重構造とし、アンテナと導電性ペンを共用化することにより導電性ペンの配置を解決したものである。
【０００５】
【考案の実施の形態】
添付図面により本考案の実施の形態を説明すると、図は本考案のタッチパネルを搭載した携帯電話機Ａの図であって、タッチパネルの表示部はＢとして示す。図１は未使用時の携帯電話機Ａの側面図を示し、図２は使用時の携帯電話機Ａの側面図であって、タッチパネル部Ｂを開き、アンテナ（１）を引出している状態図を示している。図３はアンテナ（１）から導電性ペン（３）を取出した実施例図である。
【０００６】
【実施例】
図において本考案の携帯電話機のアンテナを説明すると、図示においてＡは電話機本体であり、Ｂは電話機の表示部であって、本考案の電話機は静電容量結合方式のタッチパネルを搭載している携帯電話であるため、指あるいは導電性ペンが必要となる。
【０００７】
本考案の場合は携帯電話機という小型の表示面Ｂであるため、指では操作し難く、先の細い導電性ペンを使用する。
【０００８】
電話機のアンテナ（１）はステンレスパイプで形成され、このパイプ（２）の中には導電性ペン（３）が挿入収納されている。図３を参照して、アンテナ（１）に挿入して収納されている導電性ペン（３）は、握り部は合成樹脂製のパイプであって、このパイプ内にはペンの頂部にあって電極を兼ねるステンレスキャップ（６）からリード線（４）が挿通されていて、その先端にはペン先となる金属ボール（５）を設ける。
【０００９】
本考案のタッチパネル搭載型の電話機においては、電話機のアンテナ（１）を２重構造とし、この中に導電性ペン（３）を挿入して収納してあるため、使用に際しては導電性ペン（３）は、アンテナ（１）から、引き抜くことにより使用でき、携帯電話機という小さいスペースの中で導電性ペンの収納・保管が簡単便利となる。
【００１０】
【考案の効果】
上述のように、タッチパネルを搭載した携帯電話機においては、導電性ペン（スタイラスペン）の収納場所をアンテナ内に挿入して納めるため、外観的にスッキリとし、しかも取り出し操作も便利であって、ペンの置き忘れもなくなり、使用上きわめて便利に利用でき、その効果は大である。
【図面の簡単な説明】
【図１】携帯電話機の側面図
【図２】使用時のアンテナを引出した状態図
【図３】アンテナと導電性ペンの構造を示す説明図
【符号の説明】
１　アンテナ
２　アンテナの筒部分
３　導電性ペン
４　リード線
５　金属ボール
６　キャップ（電極を兼ねる）
Ａ　携帯電話機
Ｂ　タッチパネル表示部
【図１】
0003098020.tif 000003
【図２】
0003098020.tif 000004
【図３】
0003098020.tif 000005
(57)【要約】【課題】多数の喫煙者が喫煙するゲーム店舗において、非喫煙者の受動喫煙（間接喫煙）を抑える灰皿装置を提供する。【解決手段】ゲーム機の前部にテーブル部１を備えると共に、テーブル部１に透孔２を穿設して底部が開口３１した灰皿部３を装着し、テーブル部下面に吸殻回収機構４を設けてなるゲーム店舗用灰皿装置において、一部をタバコ載置用に開口した灰皿覆い部５で前記灰皿部３を覆うと共に、灰皿覆い部５内に、イオン放電機構６の放電電極６１を配置してなる。【選択図】　　図２
0003098015.tif 000002
【実用新案登録請求の範囲】
【請求項１】
ゲーム機の前部にテーブル部を備えると共に、テーブル部に透孔を穿設して底開きの灰皿部を装着し、テーブル部下面に吸殻回収機構を設けてなるゲーム店舗用灰皿装置において、一部をタバコ載置用に開口した灰皿覆い部で前記灰皿部を覆うと共に、灰皿覆い部内に、イオン放電機構の放電電極を配置してなることを特徴とするゲーム店舗用灰皿装置。
【請求項２】
灰皿覆い部に、灰皿部の上方を開放するように、開閉自在とした蓋体部を設けてなる請求項１記載のゲーム店舗用灰皿装置。
【考案の詳細な説明】
【０００１】
【産業上の利用分野】
本考案は、パチンコ店のようなゲーム店舗で採用される灰皿装置に関するものである。
【０００２】
【従来技術及び考案が解決しようとする課題】
パチンコ店のようにゲーム機が列設されているゲーム店舗においては、ゲーム機群の前面に渡って幅の狭いテーブル部を設けており、灰皿装置は、テーブル部の適宜箇所に透孔を穿設し、当該透孔に底面部分が開口した灰皿部を装着し、テーブル部の下面側に吸殻の回収機構を配備してなる（登録実用新案第３０９１８９３号）。
【０００３】
ところで近年非喫煙者の受動喫煙（間接喫煙）が問題となっている。特にゲーム店舗では、どちらかというと喫煙者が多く、非喫煙者がゲーム店舗を敬遠し勝ちである。
【０００４】
そこで本考案は、非喫煙者の受動喫煙を極力抑える新規な灰皿装置を提案したものである。
【０００５】
【課題を解決する手段】
本考案に係るゲーム店舗用灰皿装置は、ゲーム機の前部にテーブル部を備えると共に、テーブル部に透孔を穿設して底開きの灰皿部を装着し、テーブル部下面に吸殻回収機構を設けてなるゲーム店舗用灰皿装置において、一部をタバコ載置用に開口した灰皿覆い部で前記灰皿部を覆うと共に、灰皿覆い部内に、イオン放電機構の放電電極を配置してなることを特徴とするものである。
【０００６】
而して放電電極に所定の電圧を印加（対極は灰皿部や灰皿覆い部である）しておき、喫煙者が点火したタバコを灰皿部に載置すると、タバコの煙（微粒子群）は、荷電して対極面である灰皿部や灰皿覆い部に付着し、灰皿覆い部から煙が放出されないことになり、受動喫煙の機会を減らすことになる。
【０００７】
【実施例】
次に本考案の実施例について説明する。本考案の対象となるゲーム店舗用灰皿装置は、前記したとおりゲーム機群の前面に渡って幅の狭いテーブル部１を設け、テーブル部１の適宜箇所に透孔２を穿設し、当該透孔２に底面部分が開口３１した灰皿部３を装着し、テーブル部１の下面側に吸殻の回収機構４を配備してなるものである。
【０００８】
そして本考案は前記の既存または新設の灰皿装置において、灰皿覆い部５とイオン放電機構６を付加したものである。
【０００９】
灰皿覆い部５は、灰皿部３の上面全体を覆うようにしたもので、固定本体部５１と、蓋体部５２とを備え、特にタバコ載置用に一部に開口部５３を設けたものである。また蓋体部５２は、灰皿部３の上方が開放されるように開閉自在としたものである。また蓋体部５２には、適宜な透窓を設けておく。
【００１０】
イオン放電機構６は、放電電極（単極）６１と、電源部６２と、リード線部６３とで構成され、放電電極６１は、灰皿覆い部５の固定本体部５１の内側面に配置してなり、また電源部６２は、テーブル部１の下面や別置し、リード線部６３で放電電極６１と接続するようにしてなる。特にリード線部６３には、灰皿覆い部５をテーブル部１から取り外す際に問題が生じないよう接続端子部６４を介設してなる。
【００１１】
而して前記灰皿機構は、放電電極６１に所定の電圧を印加（対極は灰皿部や灰皿覆い部である）しておいて、喫煙者が点火したタバコを開口部５３から差し入れて灰皿部３の所定位置に載置すると、そのタバコから立ち上がる煙（微粒子群）は、放電電極６１からの放出電子によって荷電し、対極面である灰皿部や灰皿覆い部に付着するので、灰皿覆い部５の透窓から煙が放出されないことになる。
【００１２】
また灰皿部３の清掃に際しては、蓋体部５２を開放することで灰皿部３の開口３１から吸殻を落下させ、吸殻自動回収機構４による吸殻回収を行うようにするものである。
【００１３】
【考案の効果】
以上のように本考案は、テーブル部を備えると共に、テーブル部に透孔を穿設して底開きの灰皿部を装着し、テーブル部下面に吸殻回収機構を設けてなる従前のゲーム店舗用灰皿装置に、一部をタバコ載置用に開口した灰皿覆い部で前記灰皿部を覆うと共に、灰皿覆い部内に、イオン放電機構の放電電極を配置してなる灰皿装置で、灰皿部に載置したタバコからの煙を荷電集塵することで灰皿覆い部からの煙の放出を無くし、受動喫煙の機会を減らしたものである。
【図面の簡単な説明】
【図１】本考案の実施例装置の分解斜視図。
【図２】同断面図。
【符号の説明】
１　　　　　テーブル部
２　　　　　透孔
３　　　　　灰皿部
３１　　　　開口
４　　　　　回収機構
５　　　　　灰皿覆い部
５１　　　　固定本体部
５２　　　　蓋体部
５３　　　　開口部
６　　　　　イオン放電機構
６１　　　　放電電極
６２　　　　電源部
６３　　　　リード線部
６４　　　　接続端子部
【図１】
0003098015.tif 000003
【図２】
0003098015.tif 000004
(57)【要約】【課題】使用者個人に適正に合わせたウエイトを嵌合することで良い打球効果が得られるゴルフクラブアイアンを提供する。【解決手段】アイアンヘッド１０の側面の上下端へそれぞれ上ウエイト１１および下ウエイト１２を嵌合し、更にヒール部へネジ孔１３を設け、該ネジ孔には若干の比重の異なるウエイト調整ネジ１４を螺着し、更に、該アイアンヘッドは金属材質であり、アイアンヘッドの側面の上端へ比重の小さい上ウエイトを嵌合し、下端へ比重の大きい下ウエイトを嵌合し、該ウエイト調整ネジは異なる比重値による金属製品であり、それにより使用者個人のフォーム、力、速度などの条件に合わせた適正な比重値のウエイト調整ネジをネジ孔へ螺着することにより使用者個人に合わせた良い打球効果を得る。【選択図】　　　　図３
0003098096.tif 000002
【実用新案登録請求の範囲】
【請求項１】
アイアンヘッドの側面上下へそれぞれ上ウエイトおよび下ウエイトを嵌合し、更にヒール部へネジ孔を設け、該ネジ孔へ若干の比重のことなるウエイト調整ネジを螺合し、その中、該アイアンヘッドは金属性の材質に係り、アイアンヘッドの側面上端へ比重値の小さい上ウエイトを嵌合し、アイアンヘッドの側面下端へ比重値の大きい下ウエイトを嵌合し、該数個の金属性のウエイト調整ネジは比重値がそれぞれ異なることを特徴とするアイアンゴルフクラブ。
【請求項２】
また、前記ネジ孔をアイアンヘッド側面のトウへ設けることを特徴とする請求項１記載のアイアンゴルフクラブ。
【考案の詳細な説明】
【０００１】
【考案の属する技術分野】
本考案は重心の位置を使用者に合わせて変えるアイアンゴルフクラブに係り、とくに使用者の打球習慣に合わせてアイアンヘッドのヒール部へ適正なウエイト調整ネジを設け、アイアンヘッドの重心の位置を変えることにより良い打球効果を得るための構造に関わる。
【０００２】
【従来の技術】
従来のゴルフクラブは正確なショット角度、速度、力によって設計されており、また精確な計算により精密に製造されている。一方、使用者毎に力、速度、姿勢、グリップの持ち方は異なり、一般の使用者の打球時、常に起こりうるのがゴルフボールを左または右へと斜めに打ってしまう。（図１、２に示す）
上記のゴルフボールが左または右へと斜めに飛ぶのはボールの重心が偏っているか、又は重心の位置が適合していないためである。
【０００３】
【考案が解決しようとする課題】
しかし上述のような公知のものにおける欠点として、先ずアイアンヘッドの構造デザインまたはウエイトの配置方法などがあげられる。
そこで、アイアンヘッドのヒール部に適正なウエイト調整ネジを選択して設け、アイアンの重心の位置を変えるアイアンヘッドを提供する。
【０００４】
【課題を解決するための手段】
アイアンヘッド側面の上下端へそれぞれ上ウエイトおよび下ウエイトを嵌合し、更にヒール部へネジ孔を設け、該ネジ孔は若干の比重の異なるウエイト調整ネジを螺合し、更に、該アイアンヘッドは金属材質であり、アイアンヘッドの側面の上端へ比重値の小さい上ウエイトを嵌合し、下端へ比重値の大きい下ウエイトを嵌合し、該ウエイト調整ネジは異なる比重値による金属製品であり、それにより使用者個人のフォーム、力、速度などの条件により適正な比重値のウエイト調整ネジをネジ孔へ螺合する。
【０００５】
【考案実施の形態】
図３、４に示すように、アイアンヘッド１０の側面の上下端にそれぞれ上ウエイトおよび下ウエイトを嵌合し、更にヒール部へネジ孔１３を設け、該ネジ孔１３は若干の異なる比重値のウエイト調整ネジ１４により螺合し、
該アイアンヘッド１０は金属製品であり、例えば図４に示すように中心線Ｃは境界線とし、金属製品のアイアンヘッド１０の側面上端へ比重値の小さい上ウエイト１１を嵌合し、側面下端へ比重値の大きい下ウエイト１２を嵌合し、
例えば、錆びない鋼材質（比重約７．９）アイアンヘッド１０には、
上ウエイト１１はアルミニウム合金（比重約２．７５）、マグネシウム合金（比重約１．８）、チタン合金（比重約４．５）など、
下ウエイト１２はタングステンニッケル、タングステン銅合金（比重約７．９）など、
例えば、チタン合金（比重約４．５）のアイアンヘッド１０には
上ウエイト１１にアルミ合金、マグネシウム合金を嵌合し、
下ウエイト１２は錆びない鋼、タングステンニッケル、タングステン銅合金などを嵌合し、
該ウエイト調整ネジ１４はアルミニウム合金、チタン合金、錆びない鋼、タングステン合金、銅合金などの異なる比重値の金属製品である。
【０００６】
上記の構造のように、アイアンヘッド１０の側面上端へ比重値の小さい上ウエイト１１を嵌合し、下端へ比重値の大きい下ウエイト１２を嵌合し、アイアンヘッド１０の垂直方向の重心を下へ移し、安定性を増す。
特に使用者個人のフォーム、力、速度などの条件により、適正な比重値のウエイト調整ネジ１４をアイアンヘッド１０の側面ヒール部にあるネジ孔へ螺合し、アイアンヘッド１０の水平方向の重心位置を調整する。
例えば使用者がボールを打つ時、ボールが左方向へ飛んでしまう場合、比重値の小さいウエイト調整ネジ１４をネジ孔１３へ嵌合し、アイアンヘッド１０の水平方向の重心を調整し、ボールが飛ぶ方向を調整する。
反対にボールが右方向へ飛んでしまう場合、比重値の大きいウエイト調整ネジ１４をネジ孔１３へ嵌合する。
また別に、該ネジ孔１３は図５に示すように、アイアンヘッド１０側面のトゥ部へ設け、同様な効果を具有する。
以上により、本案における上ウエイト１１及び下ウエイト１２の嵌合を利用し、使用者の打球時のくせにより、適正なウエイト調整ネジ１４を螺合することにより、アイアンヘッド１０で打球するとき、良い打球効果を具有することとなる。
【０００７】
【考案の効果】
本考案によると、簡単な構造で良い打球効果を高める目的が達成された。
【図面の簡単な説明】
【図１】打球時にゴルフボールが左方向へ飛んでいく図である。
【図２】打球時にゴルフボールが右方向へ飛んでいく図である。
【図３】本考案における立体分解図である。
【図４】本考案における平面指示図である。
【図５】本考案におけるネジ位置のもう一つの実施例図である。
【符号の説明】
１０　　アイアンヘッド
１１　　上ウエイト
１２　　下ウエイト
１３　　ネジ孔
１４　　ウエイト調整ネジ
【図１】
0003098096.tif 000003
【図２】
0003098096.tif 000004
【図３】
0003098096.tif 000005
【図４】
0003098096.tif 000006
【図５】
0003098096.tif 000007
(57)【要約】【課題】位牌に顔写真や肖像を設けることにより、現代感覚に適合した肖像位牌及びオープン仏壇を提供する。【解決手段】透明性を有した合成樹脂材、ガラス、水晶等からなる位牌本体２に、立体形成した顔写真版３や肖像版を固着してなる。【選択図】　　　図１
0003098032.tif 000002
【実用新案登録請求の範囲】
【請求項１】
透明性を有した合成樹脂材、ガラス、水晶、クリスタルガラス、石英ガラス等、若しくは黒檀、漆、御影石又はセラミックからなる位牌本体に、立体形成した肖像版若しくは立体顔写真を固着してなる肖像位牌。
【請求項２】
透明性を有した合成樹脂材、ガラス、水晶、クリスタルガラス、石英ガラス等、若しくは黒檀、漆、御影石又はセラミックからなる位牌本体に、立体形成した肖像版若しくは立体顔写真を固着してなる肖像位牌とともに仏具を備えたオープン仏壇。
【考案の詳細な説明】
【０００１】
【考案の属する技術分野】
本考案は、肖像位牌及びオープン仏壇に関するものである。
【０００２】
【従来の技術】
従来、位牌には戒名や死亡年月等が文字により記載されているのが通常であって、仏壇内に納めて故人を末永く偲ぶことが行われている。
【０００３】
【考案が解決しようとする課題】
ところで、位牌は、古来より戒名あるいは法名のみを記すもので、この位牌を置く仏壇も含め現代人の生活感覚に合わなくなっており、居住環境に適合するものが求められていた。
【０００４】
本考案は、上記課題に鑑みてなされたもので、位牌に立体的に形成した肖像版や立体顔写真を設けることにより、現代感覚に適合した肖像位牌及びオープン仏壇を提供することを目的としている。
【０００５】
【課題を解決するための手段】
上記目的を達成するため、本考案のうち請求項１に記載の考案は、透明性を有した合成樹脂材、ガラス、水晶、クリスタルガラス等、若しくは黒檀、漆、御影石又はセラミックからなる位牌本体に、立体形成した肖像版若しくは立体顔写真を固着してなる肖像位牌である。
また、請求項２に記載の考案は、透明性を有した合成樹脂材、ガラス、水晶、クリスタルガラス等、若しくは黒檀、漆、御影石又はセラミックからなる位牌本体に、立体形成した肖像版若しくは立体顔写真を固着してなる肖像位牌とともに仏具を備えたオープン仏壇である。
【０００６】
【考案の実施の形態】
以下、本考案の実施の形態について、図示例を参照しながら説明する。
図１は、本考案の実施の形態に係る肖像位牌及びオープン仏壇を示す斜視図、図２は、肖像位牌を示す側面図である。
図１において、１は肖像位牌であり、位牌本体２に肖像版３を固着し、台座４に固定されている。
位牌本体２は、矩形状の厚板で、透明性を有した合成樹脂材、ガラス、水晶、クリスタルガラス、石英ガラス等、若しくは黒檀、漆、御影石又はセラミックからなる硬質材料により形成されている。
そして、前面２ａには、図２に示すように、予め矩形状の凹所２ｂを凹設してある。また、この前面２ａに、故人の戒名や生没年を記すようにしている。
【０００７】
肖像版３は、前記凹所２ｂに嵌合可能な矩形状で、耐久性に優れたセラミック板やガラス板を用いており、前面３ａには故人の顔３ｃを立体的に加工している。
この肖像版３の制作に際しては、顔の形状に合わせて前面３ａを凹凸状にしている。このため、顔を含む肖像版３が立体感を有し、故人により近いものとなっている。
なお、この肖像版の代わりに故人の立体化した顔写真に代えることもある。
このように形成された肖像版３は、裏面３ｂを位牌本体２の凹所２ｂに嵌合し、接着剤を用いて強固に固着する。
【０００８】
これにより、位牌本体２の前面２ａが、立体感ある肖像版３ｃで浮き上がった状態となる。
また、位牌本体２が透明性を有している場合は、肖像位牌１全体に清潔感があるうえ、明るくてモダンな印象を与えることができる。
前記台座４は、略方形状で、前記位牌本体２と同一またはよく似た材料により形成されている。
この台座４は、図２に示す如く上面４ａに細長の凹溝４ｂを凹設してある。なお、この凹溝４ｂは、前記位牌本体２の下端２ｃよりも僅かに大きく形成している。
そして、この凹溝４ｂに位牌本体２の下端２ｃを嵌合し、強固に保持している。
これにより、肖像位牌１が安定よく立設保持されるとともに、台座４が位牌本体２と同一材料であり、全体に透明感があるので、より一層モダンな印象を与えることができる。
【０００９】
以上のように構成された肖像位牌１に、各種の仏具を備えるとオープン仏壇５を形成することができる。
仏具としては、線香立てや焼香用の焼香具６、お備え用の茶碗７、水入れ用の皿８、蝋燭立て９、献花用の花器１０等であり、台座４の周りに配置される。
このオープン仏壇５は、従来の仏壇のように収納箱がないので、場所を選ばず何処にでも置くことができる。特に、開放感があることから、日本間に限らず洋室に配置しても違和感がない。
また、分解と組み立ても容易であるから、持ち運びができる。
さらに、耐用年数もきわめて長いことから、子々孫々まで先祖の面影を偲ぶことができる。
【００１０】
【考案の効果】
以上説明したように、本考案のうち請求項１に記載の考案は、透明性を有した位牌本体に、立体形成した肖像版や立体顔写真版を固着しているので、全体に立体感があるうえ透明性より、明るくてモダンな印象の位牌を提供することができる効果がある。
また、請求項２に記載の考案は、全体に立体感があるうえ透明性により、明るくてモダンな印象の肖像位牌を備えているので、洋室にも配置可能な仏壇を提供することができる。
さらに、従来の仏壇のように収納箱を要しないので、場所を選ばず何処にでも置くことができる。
【図面の簡単な説明】
【図１】本考案の実施の形態に係る肖像位牌及びオープン仏壇を示す斜視図である。
【図２】肖像位牌を示す側面図である。
【符号の説明】
２　位牌本体
３　顔写真版
【図１】
0003098032.tif 000003
【図２】
0003098032.tif 000004
(57)【要約】　　　（修正有）【課題】狭い棚に多数の和洋酒瓶が林立している中から、特定のキープされたボトルを一目で見分けて取り出すことができるようにする。【解決手段】ボトルカバーキャップ本体１の下部を蓋Ｂへの嵌合部２とし、上部をネームカード５を挿入することによって、透明表示部３にキープ客名を表示可能としてなるボトルカバーキャップ。【選択図】　　図１
0003098042.tif 000002
【実用新案登録請求の範囲】
【請求項１】
ボトルカバーキャップ本体（１）の下部に蓋（Ｂ）への嵌合部（２）を設け、上部にネームカード（５）を透視可能に収納する透明表示部（３）を備えてなるボトルカバーキャップ。
【考案の詳細な説明】
【０００１】
【考案の属する技術分野】
本考案は、和洋酒瓶（Ａ）の蓋（Ｂ）の上にかぶせることのできる透明表示部（３）を有するボトルカバーキャップである。
【０００２】
【従来の技術】
従来、和洋酒瓶（Ａ）には中身が蒸発しないための蓋（Ｂ）が必ずなされている。また、そのボトルのキープを表示するためのカードを紐で吊下げたり、ラベルの上に書き込みをしたりしている。
【０００３】
【考案が解決しようとする課題】
和洋酒瓶（Ａ）の蓋（Ｂ）を外し、グラスに注いで飲酒するのが一般的である。
五〜六本程度の瓶を棚に並べておき、この中から好みの瓶を取り出して飲酒する場合は特に問題ない。
【０００４】
しかしながら、数十本の和洋酒瓶（Ａ）を狭い棚に並べているスタンドバーなどでは、その取り出しに難儀する。特に、常連客がキープしている特定の瓶を探して取り出すのに苦労するものである。
キープされている瓶には、カードを吊下げたり書き込みを入れたりして目印を付けているものであるが、狭い棚に幾重にも重なり合って並べられているので、奥の瓶の表示は全く見えない。そのため、前列の瓶をいちいちのかして探し出さねばならない。手間と時間がかかる上に落としたりする恐れもあるし見苦しい光景でもある。
【０００５】
そこで本考案は、狭い棚に多数の瓶がぎっしり重ねて並べてあっても、一目で全てのネームカードを知ることができ、キープされた目的の瓶をスピーディ且つスマートに取り出すことができるものである。
【０００６】
【考案の実施の形態・実施例】
和洋酒瓶（Ａ）の蓋（Ｂ）の頭上に、密に嵌合することのできる嵌合部（２）の上部を、ネームカード挿入孔（４）を有する透明表示部（３）としたボトルカバーキャップ本体（１）としてなるものである。
【０００７】
キープされた客の名前を記載したネームカード（５）を、ネームカード挿入孔（４）から挿入すると共に、これをキープされた多数の和洋酒瓶（Ａ）の蓋（Ｂ）の上へ密に嵌合する。
従って、狭い棚に多数のキープされた和洋酒瓶（Ａ）が林立していても、前記透明表示部（３）のみは突出しているので、前列の瓶群に隠れて見えないことがなく、一目で全ボトルのキープ客名を把握することができる。故に、迅速且つスマートに目的のボトルを取り出すことができ、ルックスのよい店としての評価が得られる。
なお、該ネームカード（５）を男や女、常連、新規の別、あるいはキープ時の期間などをカードの色分けによって見やすく管理することもできる。
【０００８】
【考案の効果】
狭い棚に多数のボトルを林立収納してあっても、突出した透明表示部（３）に挿入されたネームカード（５）の記載客名を一目で知ることができるので、その取り出しが迅速且つスマートに行うことができると共に、蓋（Ｂ）の開閉もカバーキャップ本体（１）を付けたままできる能率的にして便利重宝な有益考案を提供するものである。
【図面の簡単な説明】
【図１】本考案の実施状態を示す側面図（一部断面図、透視図）
【図２】本考案の実施状態を示す平面図
【図３】本考案の斜視図
【符号の説明】
１　　　ボトルカバーキャップ本体
２　　　嵌合部
３　　　透明表示部
４　　　ネームカード挿入孔
５　　　ネームカード
Ａ　　　和洋酒瓶
Ｂ　　　蓋
【図１】
0003098042.tif 000003
【図２】
0003098042.tif 000004
【図３】
0003098042.tif 000005
(57)【要約】　　　（修正有）【課題】捺印を必要とする時に常に身近に自分の携帯品に携帯用の捺印マットを用意することができるような小型の携帯用捺印マットを提供する。【解決手段】所定形状の小片クッション性薄板材料製の捺印マットであって、該捺印マットの外周縁に細紐２の一端３を固定し、該細紐の他端４を印鑑を利用する者の携帯品５に固定してなる。【選択図】　　　図１
0003098041.tif 000002
【実用新案登録請求の範囲】
【請求項１】
所定形状の小片クッション性薄板材料を捺印マットであって、該捺印マットの外周縁に細紐の一端を固定し、該細紐の他端を印鑑を利用する者の携帯品に固定してなることを特徴とする捺印マット。
【請求項２】
クッション性薄板材料は、弾性厚紙片、ゴム板片、人工皮革片弾性樹脂片又は発泡性樹脂の何れか一つである請求項１記載の携帯用捺印マット。
【請求項３】
クッション性薄板材料は、牛製皮革片である請求項１記載の携帯用捺印マット。
【考案の詳細な説明】
【０００１】
【考案の属する技術分野】
この考案は、利用者の携帯品に備付けの携帯用捺印マットに関する。
【０００２】
【従来の技術】
従来、各種の印鑑用の捺印マットが使用されているが、これらの捺印マットは事務机等の決まった場所に設置され、従って、自己の所有する印鑑を不意に押印する必要が生じた場合に、良質の捺印マットが見当たらないことで鮮明の印影を得られないことがしばしば発生する。捺印マットは、通常事務机等の決まった場所に設置され使用される。（例えば、特許文献１、特許文献２）
【０００３】
【特許文献１】
登録実用新案　第２５２１２５６号
【特許文献２】
実公平７−２７１７０号
【０００４】
【考案の解決しようとする課題】
従来技術では、自己の所有する印鑑を不意に押印しようとする場合に、捺印マットが見当たらないことで鮮明の印影を得られないことがしばしば発生する。
従って、この考案の目的とするところは、捺印を必要とする時に常に身近に自分の携帯品に携帯用の捺印マットを用意することができるような小型の携帯用捺印マットを提供することである。
【０００５】
【課題を解決するための手段】
本考案は、上記の問題点に鑑み、所定形状の小片クッション性薄板材料を捺印マットであって、該捺印マットの外周縁に細紐の一端を固定し、該細紐の他端を印鑑を利用する者の携帯品に固定してなるものである。
【０００６】
更に、クッション性薄板材料は、弾性厚紙片、ゴム板片、人工皮革片弾性樹脂片又は発泡樹脂の何れか一つである携帯用捺印マットとした。
【０００７】
また、クッション性薄板材料は、牛製皮革片が特に望ましい押印結果が得られる。
【０００８】
【考案の実施の形態】
例えば、厚紙片、ゴム板片、人工皮革片、弾性樹脂片、又は皮革よりなる所定形状の小片クッション性薄板材料１を捺印マットとし、この捺印マットの選ばれた外周縁に細紐２の一端３を固定し、細紐２の他端４を定期券、財布、携帯電話、名刺入れ、万年筆、携帯用印章ケース又はキーホルダー等のような日常的に携帯する携帯品５に固定する。
【０００９】
所定形状の小片クッション性薄板材料１は、例えば革製グローブ皮革性袋物を製造工程から多量に通常ゴミとして排出される皮革小片から二次的に製造することができるので、非常に安価に提供することができる。
【００１０】
しかしながら、捺印マットとしての最適な素材は動物の生皮を薬品で処理した革類の中でも牛製鞣革素材が最良であることが各種の鞣革片を集めて押印した結果判明したものである。
【００１１】
【実施例】
図１は牛製鞣革素材の捺印マット１ａを拡大して示した断面図である。この牛製鞣革素材の捺印マット１の裏面６はザラついた面であるが、表面７は、平滑で柔軟の面である。通常２〜３ミリメートル厚みを有している。表面は平滑ではあるが、滑りやすい面ではなく、触覚的には掌に馴染むようなしっとり感がある。
牛製鞣革素材の捺印マット１ａは革本来の繊維構造を維持している。牛製鞣革素材の捺印マット１ａの特性は、何処を押圧しても常に同一の上向きの反発弾力を示すところにある。更に、捺印マットとして有利なことは、押印した場合には表面部にごくわずかの沈み込みがありものの、表面部より下部にはそれ以上の沈み込みを阻止するコシがあるから、印影は頗る鮮明且つ良好である。
【００１２】
試みに、本願考案の捺印マット１と、従来の捺印マットｂとを同一の印鑑にて押印して比較したところ、その印影の鮮明さは格段に相違している。
牛製鞣革素材の本願考案の捺印マット１で押印した印影は、図３に示したような、印影のエッジ即ち印影の外側縁８が最も尖鋭であった。この印影線は印鑑が本来有している印影であるのに対して、従来提供されている捺印マットで押印した印影のエッジは、概ね図４に示したように印影の外側縁８がぼけたり、捺印ずれ、即ち印影の外側縁８が不正確になる。また、従来の捺印マットの中で、クッション性の大きな両面を軟質樹脂シートにて被覆した捺印マットでは、その沈み込みのために印影のエッジの鮮明さがないことはもちろん、印影線が全体として太めになる傾向がある。このような印影の外側縁８の不正確さ又は印影線が全体として太めになることは捺印マットとしての欠点となるものである。
【００１３】
【考案の効果】
請求項１の捺印マットでは、所定形状の小片クッション性薄板材料を捺印マットであって、該捺印マットの外周縁に細紐の一端を固定し、該細紐の他端を印鑑を利用する者の携帯品に固定してなるので、不意に押印する必要が生じたときにでも自己の携帯品に捺印マットが連結してあればよれを利用して容易に鮮明な捺印が得られる。
請求項２の捺印マットでは、クッション性薄板材料は、弾性厚紙片、ゴム板片、人工皮革片弾性樹脂片又は発泡樹脂の何れか一つであるので、安価に提供できる効果がある。
請求項３の捺印マットでは、クッション性薄板材料は、牛製皮革片としてあるので、捺印をした場合のその印影は極めてあざやかである。一般に市販されている捺印マットと比較した場合に、その印影のエッジの尖鋭さでは比べようがない程に鮮やかである。
【図面の簡単な説明】
【図１】定期入れのような携帯品に連繋された捺印マットの斜視図。
【図２】牛製鞣革素材の捺印マットの拡大断面図。
【図３】本願考案の牛製鞣革素材の捺印マットの印影の一部拡大図。
【図４】従来の捺印マットの印影の一部拡大図。
【符号の説明】
１．．所定形状の小片クッション性薄板材料
２．．細紐
３．．一端
４．．他端
５．．携帯品
１ａ．．牛製鞣革素材の捺印マット
６．．裏面
７．．表面
８．．外側縁
【図１】
0003098041.tif 000003
【図２】
0003098041.tif 000004
【図３】
0003098041.tif 000005
【図４】
0003098041.tif 000006
(57)【要約】【課題】本考案はカラーコーンにフレーム装着しネットを付けることによりボールが抜け出ること及びカラーコーンの転倒を防ぎ、時間の浪費、労働力の軽減に役立つ。【解決手段】本考案はカラーコーン１にカラーコーンの傾斜面の形状を模ったリング付きフレーム２を装着し３・４のコの字状に曲げたフレームを８にはめ込むことによりゴールの枠組みを形成し、その上にネット５をかぶせ、螺旋状に曲げた金具６でネットを固定することにより時間の浪費、労働力の軽減に役立つ。【選択図】　図１
0003098045.tif 000002
【実用新案登録請求の範囲】
【請求項１】
サッカーの練習や遊びの際に使用するもので、２本のカラーコーン１をゴールポストに利用し、カラーコーンの傾斜面の形状を模ったリング状の装着部を持ちＲ状に曲げたフレーム２をはめ、その２本のフレームに両端を９０度に曲げコの字状にしたフレーム３及びフレーム４を連結用ソケット８ではめ込むことでゴールの枠組を形成し、ネット５を上からかぶせ螺旋状に曲げた金具６でネットとフレームを固定し、シュートしたボールが後方或いは側方向に抜けず、ボールがあたっても転倒しない組立及び分解作業が簡単にできる運搬自在なサッカーゴールである。
【考案の詳細な説明】
【０００１】
【考案の属する技術分野】
本考案はカラーコーンにフレームで形成された枠組みを装着させ、その上からネットをかぶせ固定したサッカーゴールに関するものである。
【０００２】
【従来の技術】
サッカーゴールの代用として２本のカラーコーンを立てて使っていた。
【０００３】
【考案が解決しようとする課題】
ネットが無いためにボールが後方、あるいは側方向へ転がり、その都度ボールを取りにいく。或いは、カラーコーンにボールがあたり転倒した際、倒れたカラーコーンを立て直すなど時間の浪費及び労働的な負担が課題である。
【０００４】
【課題を解決するための手段】
本考案は、カラーコーン１にフレーム２・３・４を装着することでサッカーゴールの枠組みを形成し、ネット５を螺旋状に曲げた金具６に固定することでボー
ルが抜け出ずしかもカラーコーンの転倒を防ぐものである。
【０００５】
２リング付きフレームを曲げずに枠組みを構成することもできる。
【０００６】
転倒を防ぎ、安定感を持たせるためにはリング付きフレームをＲ状にまげることが好ましい。
【０００７】
２リング付きフレームのリング部分をキャップ状にしたフレームで装着することもできる。
【０００８】
左右方向のぶれを抑えるためには、カラーコーンの傾斜面に合致したリングにすることが好ましい。
【考案の実施の形態】
以下、添付図面に従って一実施例を説明する。
１は軟質性塩ビ素材のカラーコーン、２は１に装着し枠組みの奥行きを形成する。１の傾斜面に合致したリング状の装着部分により枠全体の左右に対するブレを防ぐリング付きフレーム。３・４は２にはめ込むことによりゴールの枠組みを形成し全体の安定感を出すコの字状に曲げたフレーム。５は枠組みにかぶせるネット。６は５を絡ませるようにすることで固定する螺旋状に曲げた金具。７は１と５を６で固定する際、１に直接６を付けることが出来ないので７に６を付けることで１と５を固定することを可能にしている螺旋状に曲げた金具付きのリング。８は２に３・４をはめ込むための連結用ソケット。
【０００９】
【考案の効果】
上述の様に、本考案のカラーコーンを利用したサッカーゴールは２・３・４で形成されたフレームにより転倒を防ぎ、紐等を使わずに螺旋状に曲げた金具でネットを固定するため、簡単に組立・分解ができることは勿論、ボールが後方及び側方向に抜け出ず、無駄な時間の浪費、労働力の軽減に役立つものである。
【図面の簡単な説明】
【図１】本考案のコーンゴールの一実施例を示す正面図である。
【図２】
リング付きフレームの側面図である。
【図３】
螺旋状に曲げた金具の側面図である。
【符号の説明】
１　カラーコーン
２　リング付きフレーム
３　コの字状に曲げた前部用フレーム
４　コの字状に曲げた後部用フレーム
５　ネット
６　螺旋状に曲げた金具
７　螺旋状に曲げた金具付きリング
８　連結用ソケット
【図１】
0003098045.tif 000003
【図２】
0003098045.tif 000004
【図３】
0003098045.tif 000005